(57)【要約】【課題】旅客機などの移動体上で映像や音声などのＡＶコンテンツを提供するシステムにおいて、搭乗便ごとに最適なＡＶコンテンツを設定するようなシステム制御がなされていなかったという問題を解決し、乗客が満足するＡＶ環境を提供することを目的とする。【解決手段】システム制御装置５は機体システム６から運行情報を受信し、この情報から座席構成と乗客の要求するＡＶコンテンツの種別を認識する。これらの情報とＡＶサーバ１の処理能力やネットワーク構成を考慮し、ＡＶサーバ１が座席端末２に配信するＡＶコンテンツを自動的に設定する。設定されたＡＶコンテンツに関する情報はシステム制御装置５から座席端末２に送信される。乗客は座席端末２からこの情報を得てＡＶコンテンツを選択し、ＡＶサーバ１から配信されるＡＶコンテンツを閲覧する。【選択図】図１
2006303860.tif 000002
【特許請求の範囲】
【請求項１】
移動体上で通信回線を介して、複数の映像コンテンツおよび音声コンテンツなどのＡＶコンテンツを送信するＡＶサーバと、前記コンテンツを受信する座席端末からなるＡＶコンテンツ配信システムであって、
機体システムから通信回線を介して運行情報を取得し、配信するＡＶコンテンツを自動的に設定するシステム制御装置
を有することを特徴とするＡＶコンテンツ配信システム。
【請求項２】
前記システム制御装置は、
前記運行情報と、前記運行情報に対応する座席構成を示す座席クラス情報と、前記ＡＶサーバが蓄積するＡＶコンテンツに関する種別情報と、前記ＡＶサーバの処理能力や前記ＡＶサーバと前記座席端末間の通信回線の帯域幅の情報を格納する環境設定データベース部と、
前記運行情報と前記環境設定データベース部に格納されている前記複数の情報を利用し、前記ＡＶサーバが配信するＡＶコンテンツを設定し、配信するＡＶコンテンツに関する情報を前記座席端末に配信するシステム制御部
を有することを特徴とする請求項１に記載のＡＶコンテンツ配信システム。
【請求項３】
前記座席端末は、
前記システム制御装置が通信回線を介して配信した、ＡＶコンテンツに関する情報を受信し、受信した情報を表示する手段
を有することを特徴とする請求項１に記載のＡＶコンテンツ配信システム。
【発明の詳細な説明】
【技術分野】
【０００１】
本発明は、旅客機などの移動体において映像や音楽などのＡＶコンテンツを配信するシステムに関するものである。
【背景技術】
【０００２】
近年、旅客機などの移動体の機内において、乗客に対して映像や音声などのＡＶコンテンツを提供するサービスが普及している。このようなサービスは、特許文献１、または特許文献２に示されるような、ＡＶサーバを中心とした通信ネットワークおよび座席端末群によって構成されるＡＶコンテンツ配信システムによって提供されている。さらに、特許文献３に示されるような、乗客が希望する時間にＡＶコンテンツを提供するビデオ・オン・デマンド配信の実用化も進められている。
【０００３】
以下に旅客機における従来のＡＶコンテンツ配信システムの実施例について、図２を用いて説明する。
【０００４】
図２は従来及び本発明のＡＶコンテンツ配信システムの概観を示す図である。
【０００５】
図２において、１はＭＰＥＧ等のＡＶコンテンツを格納し、必要に応じてＡＶコンテンツの配信を行うＡＶサーバであり、このＡＶサーバ１はビデオ・オン・デマンドでＡＶコンテンツを配信する。２はＡＶサーバ１にＡＶコンテンツを要求し、ＡＶサーバ１から配信されたＡＶコンテンツを再生する座席端末である。３はＡＶサーバ１から配信されたＡＶコンテンツを、座席端末用通信ネットワーク４ｂによって接続されている各座席端末２に振り分ける中継装置である。５はＡＶサーバ１が配信するＡＶコンテンツを設定し、座席端末２からのＡＶコンテンツ要求を、座席端末２に割り当てられている座席クラス（ファースト、ビジネス、エコノミー）に応じて制御するシステム制御装置である。システム制御装置５と各中継装置３は通信ネットワーク４ａで接続されている。
【０００６】
以上のように構成された従来の旅客機におけるＡＶコンテンツ配信システムについて、以下その動作について説明する。
【０００７】
まず、乗務員はシステム制御装置５を操作し、各座席端末２の座席クラスと各座席クラスに配信するＡＶコンテンツを設定する。例えば、ビジネスクラスの各座席端末２には１０種類のＡＶコンテンツを配信し、エコノミークラスの各座席端末２には５種類のＡＶコンテンツを配信するように設定する。乗客は座席端末２を操作し、希望するＡＶコンテンツを選択する。座席端末２は選択されたＡＶコンテンツを要求する信号を、ＡＶサーバ１に送信する。この信号は中継装置３を通り、システム制御装置５に渡される。システム制御装置５はこの信号元のアドレスを調べて信号元の座席端末２の座席クラスを判断し、配信するよう設定されたＡＶコンテンツであればＡＶサーバ１に信号を渡し、ＡＶサーバ１は要求のあったＡＶコンテンツを座席端末２に配信する。座席端末２がＡＶコンテンツを受信することで、乗客は要求したＡＶコンテンツを見ることができる。
【０００８】
乗客の要求するＡＶコンテンツや座席構成はフライトごとに異なるため、従来のシステムでは乗客が満足するサービスを提供するように、乗務員がフライトごとに配信するＡＶコンテンツの設定を行っていた。
【０００９】
一方、特許文献４に示されるような、空港にＡＶコンテンツを蓄積するデータベースサーバを設け、旅客機が空港に到着した際に、旅客機内のＡＶサーバに次のフライトで配信すべきＡＶコンテンツをデータベースサーバから無線で送信するシステムが提案されている。
【特許文献１】米国特許第４５８４０６３号明細書
【特許文献２】特開平８−３１７２９９号公報
【特許文献３】特開平９−７４５５１号公報
【特許文献４】特開２００２−１９４０５９号公報
【発明の開示】
【発明が解決しようとする課題】
【００１０】
上記の従来の構成では、ＡＶサーバ１の能力やＡＶコンテンツの種別を考慮して、配信すべきＡＶコンテンツを設定することができないという問題点を有していた。
【００１１】
例えば、コストおよび重量の削減を目的としてＡＶサーバ１のディスク容量や処理能力などを制限した場合、全ての座席端末２に高品質のＡＶコンテンツを送信することはできないため、座席クラスに応じた異なる符号化レートのＡＶコンテンツを配信するサービスが必要となる。また、乗客の求めるＡＶコンテンツの種別（言語、乗客の好みなど）はフライトごとに異なるため、最適なものを判断し切り替える必要がある。これらを考慮してＡＶコンテンツの設定をフライトごとに乗務員が行うことは困難である。
【００１２】
本発明は上記従来の問題点を解決するもので、搭乗便ごとに最適なＡＶコンテンツを自動的に設定し配信するシステムを提供することを目的とする。
【課題を解決するための手段】
【００１３】
本発明の請求項１に記載の発明は、
移動体上で通信回線を介して、複数の映像コンテンツおよび音声コンテンツなどのＡＶコンテンツを送信するＡＶサーバと、前記コンテンツを受信する座席端末からなるＡＶコンテンツ配信システムであって、
機体システムから通信回線を介して運行情報を取得し、配信するＡＶコンテンツを自動的に設定するシステム制御装置
を有することを特徴とするＡＶコンテンツ配信システムとしたものであり、
運行情報に応じて配信するＡＶコンテンツを自動的に設定し配信することで、搭乗便ごとに乗客が満足するＡＶ環境を容易に提供することが可能となる。
【００１４】
請求項２に記載の発明は、
前記システム制御装置は、
前記システム制御装置は、
前記運行情報と、前記運行情報に対応する座席構成を示す座席クラス情報と、前記ＡＶサーバが蓄積するＡＶコンテンツに関する種別情報と、前記ＡＶサーバの処理能力や前記ＡＶサーバと前記座席端末間の通信回線の帯域幅の情報を格納する環境設定データベース部と、
前記運行情報と前記環境設定データベース部に格納されている前記複数の情報を利用し、前記ＡＶサーバが配信するＡＶコンテンツを設定し、配信するＡＶコンテンツに関する情報を前記座席端末に配信するシステム制御部
を有することを特徴とする請求項１に記載のＡＶコンテンツ配信システムとしたものであり、
機体システムからの運行情報をもとに、各座席クラスに配信するＡＶコンテンツを自動的に設定し配信することが可能となる。
【００１５】
請求項３に記載の発明は、
前記座席端末は、
前記システム制御装置が通信回線を介して配信した、ＡＶコンテンツに関する情報を受信し、受信した情報を表示する手段
を有することを特徴とする請求項１に記載のＡＶコンテンツ配信システムとしたものであり、
乗客に対し、配信されるＡＶコンテンツに関する情報を提供することが可能となる。
【発明の効果】
【００１６】
以上のように本発明は、旅客機などの移動体において乗客へのサービス提供のための最適な構成のＡＶコンテンツ配信システムを提供できるという優れた効果が得られる。
【発明を実施するための最良の形態】
【００１７】
以下、本発明の実施の形態について、図１から図１１を用いて説明する。
【００１８】
（実施の形態）
図１は本発明のＡＶコンテンツ配信システムの概略構成を示す図である。ＡＶコンテンツを配信するＡＶサーバ１とＡＶコンテンツを受信する複数の座席端末２が設けられ、ＡＶコンテンツの設定および座席端末２からのＡＶコンテンツ要求の制御を行うシステム制御装置５、通信ネットワーク４ａ、中継装置３、通信ネットワーク４ｂを介してデータ通信が行われる。一般的に通信ネットワーク４ａのほうが座席端末用通信ネットワーク４ｂより広い帯域幅を持ち、例えば通信ネットワーク４ａには１０００Ｂａｓｅの通信ケーブル、座席端末用通信ネットワーク４ｂには１００Ｂａｓｅの通信ケーブルが設置される。
これらの装置の構成は図２に示すように、従来のシステムと同様なものである。図２の構成と異なるのは、システム制御装置５が環境設定データベース部７とシステム制御部８を有する点と、旅客機の次のフライトの運行情報を管理する機体システム６がシステム制御装置と接続されている点と、座席端末２がシステム制御装置からの信号を受信しＡＶコンテンツに関する情報を表示する機能を有する点である。
【００１９】
機体システム６が管理する運行情報とは、フライト番号、フライト年月日、出発時刻、到着時刻、出発地、目的地などの情報であり、機体システム６はシステム制御装置５に運行情報を送信する。
【００２０】
以下、各部の構成および機能について説明する。
【００２１】
図３はＡＶサーバ１の概略構成を示す図である。ＡＶサーバ１は、複数本のＡＶコンテンツを管理するコンテンツ蓄積装置１０と、ＡＶコンテンツ要求信号を受信しＡＶコンテンツを送信する送受信装置１１を有する。コンテンツ蓄積装置１０は、ＡＶコンテンツを蓄積するＡＶコンテンツ領域１０ａと、配信されるＡＶコンテンツが使用するＶＯＤ（Ｖｉｄｅｏ  Ｏｎ  Ｄｅｍａｎｄ）領域１０ｂを有する。送受信装置１１は、座席端末２からの信号の受信およびＡＶコンテンツの配信を行う通信機能１１０と、ＡＶコンテンツの配信をビデオ・オン・デマンドで提供するよう制御する制御機能１１１を有する。
【００２２】
図３を用いてＡＶサーバ１の動作を説明する。ＡＶサーバ１はＭＰＥＧなどのＡＶコンテンツをＡＶコンテンツ領域１０ａに蓄積し、それらのＡＶコンテンツの中から配信するものをＶＯＤ領域１０ｂに記録する。送受信装置１１は座席端末２からのＡＶコンテンツ要求信号を通信機能１１０で受信すると、制御機能１１１は受信したＡＶコンテンツ要求信号を解析し、ＶＯＤ領域１０ｂに記録されているＡＶコンテンツを、通信機能１１０を介して座席端末２にビデオ・オン・デマンドで配信する。
【００２３】
図４は座席端末２の概略構成を示した図である。座席端末２は、ＡＶサーバ１へのＡＶコンテンツ要求の送信およびＡＶコンテンツの受信を行う端末装置２０と、乗客が操作する入力装置２１と、映像を出力する映像出力装置２２と、音声を出力する音声出力装置２３からなる。端末装置２０は、信号の送受信を行う通信機能２００と、ＡＶコンテンツを複合化する映像音声処理機能２０２と、これらの機能の制御と入力装置２１から入力された命令に対する処理を行う制御装置２０１を有する。
【００２４】
図４を用いて座席端末２の動作を説明する。乗客は入力装置２１を操作してＡＶコンテンツの選択を行う。端末装置２０における制御機能２０１はこれらの命令信号を受けてＡＶコンテンツ要求信号を、通信機能２００を介してＡＶサーバ１に送信する。ＡＶサーバ１からのＡＶコンテンツを通信機能２００は受信し、制御機能２０１を介して映像音声処理機能２０２でＡＶコンテンツの複合化を行う。複合化したＡＶコンテンツの映像は映像出力装置２２に表示され、音声は音声出力装置２３から出力する。
【００２５】
また、座席端末２はシステム制御装置５から送信されるＡＶコンテンツのメニューデータを受信し、配信されるＡＶコンテンツのメニューを映像出力装置２２に表示する。さらに、乗客が要求したＡＶコンテンツの受信許可がシステム制御装置５から取得できなかった場合、システム制御部５から送信されるメッセージ信号を受信し、受信できないことを乗客に伝えるメッセージを映像出力装置２２に表示する。
【００２６】
図５はシステム制御装置５の概略構成を示した図である。環境設定データベース部７は座席クラス情報７０、ＡＶコンテンツ一覧情報７１およびネットワーク情報７２を管理するデータベースである。システム制御部８は機体システム６からの運行情報を受信し、環境設定データベース部７が有する情報を用いてＡＶサーバ１が配信するＡＶコンテンツを設定し、座席端末２からのＡＶコンテンツ要求を制御する制御機能８０と、配信コンテンツ情報８１０と通信状態情報８１１を管理する情報管理機能８１と、信号の送受信を行う通信機能８２を有する。環境設定データベース部７が有する情報は、システム制御部８によって画像出力装置５０に表示し、乗務員は入力装置５１を操作することでシステム制御部８はこれらの情報を変更する。
【００２７】
座席クラス情報７０は、フライト番号ごとの座席構成を示すリストである。各フライト番号に応じた各座席の座席クラス（ファースト、ビジネス、エコノミー）などの情報が管理されている。図６に示す座席クラス情報７０の例のように、各座席クラスに割り当てられる座席アドレスおよびその数がフライト番号ごとに示されている。
【００２８】
ＡＶコンテンツ一覧情報７１はＡＶサーバ１が管理する各ＡＶコンテンツの情報リストである。例えば図７に示すように、ＡＶコンテンツ名、ファイル名、符号化レート、再生時間、言語、ジャンル、配信すべき季節、関連する日付、関連する場所などの情報が保存されている。
【００２９】
ネットワーク情報７２は、ＡＶサーバ１が有する蓄積装置のサイズ、ＡＶサーバ１の処理能力、通信ネットワーク４ａおよび端末用通信ネットワーク４ｂの帯域幅の情報を含む。
【００３０】
システム制御部８が行う配信するＡＶコンテンツの設定を、図５および図８を用いて説明する。
【００３１】
図８はＡＶコンテンツ設定の動作プロセスを示す図である。
【００３２】
システム制御部８の制御機能８０は機体システム６からの運行情報を受信し（Ｓ１１）、それを基に、配信すべきＡＶコンテンツが持つ種別情報を示す適応種別情報Ａ１を作成する（Ｓ１２）。例えば、２０００年３月２０日東京からロサンゼルスに向うフライトならば図９（ａ）のような、言語は日本語および英語、関連する場所はアメリカ・アメリカ西部、関連する日付は３月２０日、季節は春などのＡＶコンテンツ種別情報を示す、適応種別情報Ａ１を作成する。
【００３３】
また、制御機能８０は、環境設定データベース部が有する座席クラス情報７０とネットワーク情報７２をもとに、座席クラスごとに配信上限値Ａ２を設定する（Ｓ１３〜１５）。この配信上限値Ａ２とは、座席クラス情報７０に示される各座席クラスの座席数やネットワーク情報７２に示されるＡＶサーバ１の能力や通信ネットワーク帯域および構成を考慮して計算された、各座席クラスに割り当てるネットワーク帯域の上限幅や、配信されるＡＶコンテンツの上限数や符号化レートの上限、同一ＡＶコンテンツに同時にアクセス可能な座席端末２の上限数などの値のことである。配信上限値Ａ２を座席クラスごとに設定する際、ファースト、ビジネス、エコノミーの順でクラスに優先順位を付け、優先させるクラスほど割り当てる配信上限値Ａ２を大きくする。ただし各クラスの上限値Ａ２に著しく大きな差がでないように、配信上限値Ａ２をバランスよく設定することが望ましい。配信上限値Ａ２の例を図９（ｂ）に示す。
【００３４】
制御機能８０は適応種別情報Ａ１と配信上限値Ａ２をもとに、ＡＶサーバ１が配信するＡＶコンテンツを決定する。まず、適応種別情報Ａ１に当てはまる項目を多く持つＡＶコンテンツを、ＡＶコンテンツ一覧情報７１の中からリストアップする（Ｓ１６）。これらのＡＶコンテンツの中から配信上限値Ａ２を超えないようにＡＶコンテンツを選択していき、配信するＡＶコンテンツを示す配信コンテンツ情報８１０を座席クラスごとに作成する（Ｓ１７）。この情報には配信するＡＶコンテンツとその種別情報が示されている。作成した配信コンテンツ情報８１０は情報管理機能８１で管理される。
【００３５】
ＡＶコンテンツの設定以降のシステム制御部８の動作プロセスを図１０に示す。
【００３６】
システム制御部８の制御機能８０は、配信上限値Ａ２をもとに通信状態情報８１１を作成する（Ｓ２１）。通信状態情報８１１は、各ＡＶコンテンツを受信している座席端末２のクラス別総数と全体の総数、および受信できる座席端末２の上限数を示す。作成した通信状態情報８１１は情報管理機能８１で管理される。
【００３７】
また、制御機能８０は、情報管理機能８１で管理されている配信コンテンツ情報８１０をもとに、ＡＶコンテンツのメニューデータを作成し、通信機能８２を介して座席端末２に送信する（Ｓ２２）。このメニューデータには座席端末２に配信されるＡＶコンテンツの一覧メニューが含まれており、座席端末２はこのデータを解析することで、乗客に対し配信されるＡＶコンテンツのメニューを表示することが可能である（Ｓ２３，Ｓ２４）。
【００３８】
その後、通信機能８２は座席端末２からのＡＶコンテンツ要求信号を受信する（Ｓ２５）。この要求信号に対し、情報管理機能８１で管理されている配信コンテンツ情報８１０と通信状態情報８１１を参照し、制御機能８０は要求されたＡＶコンテンツが配信可能かどうかを判断する（Ｓ２６）。まず、制御機能８０は配信コンテンツ情報８１０をもとに、要求されたＡＶコンテンツは要求信号を送った座席端末２の座席クラスに配信されるものかを判断する。配信されないものの場合、制御機能８０は乗客の座席クラスには配信されないＡＶコンテンツであることを伝えるメッセージを、通信機能８２を介して送信する（Ｓ２７、Ｓ２８）。配信されるものの場合、制御機能８０は通信状態情報８１１をもとに、ＡＶコンテンツを配信可能な通信状態であるかどうか判断する（Ｓ２９）。配信できない場合、制御機能８０は通信ネットワークが混雑していることを伝えるメッセージを、通信機能８２を介して送信する（Ｓ３０、Ｓ２８）。配信可能な場合、制御機能８０は受信したＡＶコンテンツ要求信号を、通信機能８２を介してＡＶサーバ１に送信する（Ｓ３１、Ｓ３２）。これに伴い、制御機能８０は通信状態情報８１１を更新する（Ｓ３３）。ＡＶサーバ１から送信されるＡＶコンテンツは通信機能８２を介して各座席端末２に送信される。（Ｓ３４、Ｓ３５）
以上のように構成された旅客機におけるＡＶコンテンツ配信システムについて、図１１を用いてその動作を説明する。
【００３９】
まず、システム制御装置５は機体システム６からの運行情報もとに、各座席クラスに配信するＡＶコンテンツを設定する（Ｓ４１〜Ｓ４３）。設定したＡＶコンテンツを乗客に伝えるために、システム制御装置５はＡＶコンテンツのメニューデータを座席端末２に送信する（Ｓ４４）。座席端末２はこれを受信し（Ｓ４５）、配信されるＡＶコンテンツのメニューを画面に表示できるようにする（Ｓ４６）。乗客は見たいＡＶコンテンツを選択すると、座席端末２はそのＡＶコンテンツをＡＶサーバ１に要求するためのＡＶコンテンツ要求信号をＡＶサーバ１に送信する（Ｓ４７）。システム制御装置５はＡＶサーバ１の手前でこの信号を受信し、座席クラスや通信状態を考慮して、要求されたＡＶコンテンツを配信できるかどうか判断する（Ｓ４８）。配信できない場合は座席端末２に配信されないことを伝えるメッセージを送信し（Ｓ４９）、座席端末２はこれを受信して表示することで、乗客に要求したＡＶコンテンツは配信されないことを伝える（Ｓ５０，Ｓ５１）。配信される場合は、システム制御装置５はＡＶサーバ１にＡＶコンテンツ要求信号を送信する（Ｓ５２）。ＡＶサーバ１はこの信号を受信し（Ｓ５３）、要求されたＡＶコンテンツを座席端末２に送信する。このＡＶコンテンツはシステム制御装置５を介して座席端末２に送信され（Ｓ５４）、座席端末２はこれを受信し再生する。これにより乗客にＡＶコンテンツを提供する。（Ｓ５５，Ｓ５６）
なお、以上の説明ではＡＶサーバ１はビデオ・オン・デマンド配信を行うものとしたが、ビデオ・オン・デマンド配信だけでなくマルチキャスト配信も行うＡＶサーバ１としてもよい。その場合、全体のＡＶコンテンツ配信の中で何本をビデオ・オン・デマンド配信で行うかを動的にあるいは静的に設定する。
【００４０】
また、以上の説明ではシステム制御装置５は自動的にＡＶコンテンツを設定するとしたが、運行情報に関係なく配信したいＡＶコンテンツがある場合、乗務員が操作することでそのＡＶコンテンツを配信するように設定することを可能としてもよい。具体的には、配信するＡＶコンテンツを自動的に設定した後、図５における画像出力装置５０と入力装置５１を乗務員が用いて配信したいＡＶコンテンツを選択する。配信するＡＶコンテンツの追加により、ＡＶサーバ１の負荷や配信するデータ量は増加するので、この増加分を減らすように、システム制御部８は配信するＡＶコンテンツを設定し直す。
【００４１】
また、以上の説明では、乗客の求めるＡＶコンテンツの種別情報を示す適応種別情報Ａ１は、例えば図９（ａ）のようなものとしたが、図１１のように種別情報の一部あるいは全てに優先度を持たせてもよい。優先度の高い種別情報を持つＡＶコンテンツや、種別情報の優先度の合計が高い値を持つＡＶコンテンツを、配信するコンテンツとして優先的に設定するなど、優先度を利用したＡＶコンテンツの設定方法が考えられる。
【００４２】
上記優先度を乗務員が指定し、それに基づいてＡＶコンテンツの設定を行う方法も考えられる。例えば、種別情報の１つとして考えられる「関連する人物」は通常、運行情報によって適応種別情報Ａ１に示されるものではないが、フライトに乗ることになった著名人や最近話題となっている人物に関して、乗務員がその人と関連するＡＶコンテンツの優先度を高くすることで、その人が関わるＡＶコンテンツを配信することが可能である。
【産業上の利用可能性】
【００４３】
本発明にかかる移動体の運行情報に適応したコンテンツの配信システムは、旅客機などの移動体において乗客へのサービス提供のための最適な構成のＡＶコンテンツ配信システムを提供できるという優れた効果を有し、旅客機などの移動体においてＡＶコンテンツを提供するサービスを実施するシステムに関するもの等として有用である。
【図面の簡単な説明】
【００４４】
【図１】本発明の実施の形態におけるＡＶコンテンツ配信システムの概略構成図
【図２】本発明の実施の形態における具体的な実施例を示す概観図
【図３】本発明の実施の形態におけるＡＶサーバの概略構成図
【図４】本発明の実施の形態における座席端末の概略構成図
【図５】本発明の実施の形態におけるシステム制御装置の概略構成図
【図６】本発明の実施の形態における座席クラス情報の具体例を示す図
【図７】本発明の実施の形態におけるＡＶコンテンツ種別情報の具体例を示す図
【図８】本発明の実施の形態におけるシステム制御部８が配信するＡＶコンテンツを設定するプロセスを概略的に示す図
【図９】本発明の実施の形態における適応種別情報Ａ１と配信上限値Ａ２の具体例を示す図
【図１０】本発明の実施の形態におけるシステム制御８のＡＶコンテンツ設定後の動作プロセスを概略的に示す図
【図１１】本発明の実施の形態における、システム全体の動作例を示す図
【図１２】本発明の実施の形態における、優先度を持つ適応種別情報の具体例を示す図
【符号の説明】
【００４５】
１  ＡＶサーバ
１０  蓄積装置
１０ａ  ＡＶコンテンツ蓄積領域
１０ｂ  ＶＯＤ領域
１１  送受信装置
１１０  通信機能
１１１  制御機能
２  座席端末
２０  端末装置
２００  通信機能
２０１  制御機能
２０２  映像音声処理機能
２１  入力装置
２２  映像出力装置
２３  音声出力装置
３  中継装置
４ａ  通信ネットワーク
４ｂ  端末用通信ネットワーク
５  システム制御装置
５０  画像出力装置
５１  入力装置
６  機体システム
７  環境設定データベース部
７０  座席クラス情報
７１  ＡＶコンテンツ一覧情報
７２  ネットワーク情報
８  システム制御部
８０  制御機能
８１  情報管理機能
８１０  配信コンテンツ情報
８１１  通信状態情報
８２  通信機能
【図１】
2006303860.tif 000003
【図２】
2006303860.tif 000004
【図３】
2006303860.tif 000005
【図４】
2006303860.tif 000006
【図５】
2006303860.tif 000007
【図６】
2006303860.tif 000008
【図７】
2006303860.tif 000009
【図８】
2006303860.tif 000010
【図９】
2006303860.tif 000011
【図１０】
2006303860.tif 000012
【図１１】
2006303860.tif 000013
【図１２】
2006303860.tif 000014